(57)【要約】【課題】リールを釣竿に極めて強固に取り付けることができるリール取付構造及びこれを備えた釣竿を提供する。【解決手段】釣竿にリール５０を取り付けるためのリール取付構造であって、バット１０の周面に開口する嵌合凹部１Ｂと、嵌合凹部１Ｂの底面から反対周面まで貫通するボルト通し孔１Ｃとを有するリールシート部１と、リール５０を固定するリール載置面２Ａ２を具備する取付プレート２Ａと、リール載置面２Ａ２の反対側の面２Ａ１から突出しかつ嵌合凹部１Ｂに嵌合可能な形状をもつ嵌合凸部２Ｂと、嵌合凸部２Ｂの端面に開口するボルト螺子穴２Ｃとを有するリールブラケット２と、リールシート部１の嵌合凹部１Ｂに対しリールブラケット２の嵌合凸部２Ｂが嵌合した状態にて、リールシート部１のボルト通し孔１Ｃを通してリールブラケット２のボルト螺子穴２Ｃに螺合可能なブラケット固定ボルト３と、を備える。【選択図】図１
2019154269.tif 000002
【特許請求の範囲】
【請求項１】
釣竿にリール（５０）を取り付けるためのリール取付構造であって、
釣竿のバット（１０）の軸方向の一部の周面に開口し所定の深さ（Ｌ）をもつ嵌合凹部（１Ｂ）と、前記嵌合凹部（１Ｂ）の底面から反対側の周面まで貫通するボルト通し孔（１Ｃ）とを有するリールシート部（１）と、
リール（５０）を固定するためのリール載置面（２Ａ２）を具備する取付プレート（２Ａ）と、前記取付プレート（２Ａ）における前記リール載置面（２Ａ２）の反対側の面（２Ａ１）から突出しかつ前記リールシート部（１）の前記嵌合凹部（１Ｂ）に嵌合可能な形状をもつ嵌合凸部（２Ｂ）と、前記嵌合凸部（２Ｂ）の端面に開口するボルト螺子穴（２Ｃ）とを有するリールブラケット（２）と、
前記リールシート部（１）の前記嵌合凹部（１Ｂ）に対し前記リールブラケット（２）の前記嵌合凸部（２Ｂ）が嵌合した状態にて、前記リールシート部（１）の前記ボルト通し孔（１Ｃ）を通して前記リールブラケット（２）の前記ボルト螺子穴（２Ｃ）に螺合可能なブラケット固定ボルト（３）と、を備えたことを特徴とするリール取付構造。
【請求項２】
前記リールブラケット（２）の前記リール載置面（２Ａ２）が、リール（５０）の枠（５１）の外周面に沿う形状を有することを特徴とする請求項１に記載のリール取付構造。
【請求項３】
前記リールブラケット（２）の前記取付プレート（２Ａ）が、リール（５０）との固定に用いられる複数のボルト通し孔（２Ｄ）を有することを特徴とする請求項１又は２に記載のリール取付構造。
【請求項４】
前記リールシート部（１）の前記嵌合凹部（１Ｂ）が、平面視にて長円形又は多角形であることを特徴とする請求項１〜３のいずれかに記載のリール取付構造。
【請求項５】
前記リールシート部（１）の前記嵌合凹部（１Ｂ）の開口の周囲に、前記リールブラケット（２）の前記取付プレート（２Ａ）を載置するための平坦なブラケット載置面（１Ａ１）が形成されていることを特徴とする請求項１〜４のいずれかに記載のリール取付構造。
【請求項６】
前記リールシート部（１）の幅（Ｗ）が、前記リールシート部（１）の前後における前記バット（１０）の円柱部分の直径（Ｄ）より大きいことを特徴とする請求項１〜５のいずれかに記載のリール取付構造。
【請求項７】
請求項１〜６のいずれかに記載のリール取付構造を有する釣竿。
【発明の詳細な説明】
【技術分野】
【０００１】
本発明は、釣竿にリールを取り付けるためのリール取付構造及びこれを備えた釣竿に関する。
【背景技術】
【０００２】
図９（ａ）は、釣竿にリールを固定するリール取付構造の従来例であるリールシートの基本的構成を概略的に示した図であり、釣竿の側面から視た図である。例えば特許文献１等に開示されている。一般的なリールシートは、釣竿１００における手元側のバット１１０の一部に設けられ、周方向に取り付けられた一対の環状部材１０２を有している。例えば少なくとも一方の環状部材１０２がナット状の雌ネジを有し、リールシートの外周に形成された雄ネジに対して回転させてねじ込むことができる。一方、図９（ａ）に概略的に示すリール５０は、略円筒形の枠５１の外周上に形成された互いに反対向きに延びる一対のリール脚５１ａを有する。一対の環状部材１０２が、一対のリール脚５１ａをそれぞれリールシートとの間に挟み、ねじ込むことによりリール５０を固定する。
【０００３】
図９（ｂ）は、リールを釣竿に固定するための別の従来例を示した図であり、釣竿の正面から視た図（一部断面図）である。例えば特許文献２等に開示されている。この例では、釣竿のバット１１０をクランプ部材１０３で挟みこみ、ボルトとナットからなる固定部材１０４を用いてリール５０の枠５１に固定している。
【０００４】
さらに、図９（ａ）と（ｂ）に示したリール取付構造を併用する場合もある。
【先行技術文献】
【特許文献】
【０００５】
【特許文献１】特開２００８−２２０２１３号公報
【特許文献２】特開２０１５−１８１４３２号公報
【発明の概要】
【発明が解決しようとする課題】
【０００６】
ここで、特にマグロ等の大型魚の釣に用いる釣竿の場合、リールと釣竿の取付固定部にも極めて大きな力が掛かる。その結果、図９（ａ）（ｂ）に示した従来のリール取付構造では、リールと釣竿の固定強度が十分ではなく、リールの位置がずれたり、がたつきを生じたりするという問題があった。
【０００７】
上記の問題点に鑑み、本発明は、リールを釣竿に極めて強固に取り付けることができるリール取付構造及びこれを備えた釣竿を提供することを目的とする。
【課題を解決するための手段】
【０００８】
上記の目的を達成するために、本発明は、以下の構成を有する。なお、括弧内の数字は、後述する図面中の符号であり、参考のために付するものである。
【０００９】
・  本発明の態様は、釣竿にリール（５０）を取り付けるためのリール取付構造であって、
釣竿のバット（１０）の軸方向の一部の周面に開口し所定の深さ（Ｌ）をもつ嵌合凹部（１Ｂ）と、前記嵌合凹部（１Ｂ）の底面から反対側の周面まで貫通するボルト通し孔（１Ｃ）とを有するリールシート部（１）と、
リール（５０）を固定するためのリール載置面（２Ａ２）を具備する取付プレート（２Ａ）と、前記取付プレート（２Ａ）における前記リール載置面（２Ａ２）の反対側の面（２Ａ１）から突出しかつ前記リールシート部（１）の前記嵌合凹部（１Ｂ）に嵌合可能な形状をもつ嵌合凸部（２Ｂ）と、前記嵌合凸部（２Ｂ）の端面に開口するボルト螺子穴（２Ｃ）とを有するリールブラケット（２）と、
前記リールシート部（１）の前記嵌合凹部（１Ｂ）に対し前記リールブラケット（２）の前記嵌合凸部（２Ｂ）が嵌合した状態にて、前記リールシート部（１）の前記ボルト通し孔（１Ｃ）を通して前記リールブラケット（２）の前記ボルト螺子穴（２Ｃ）に螺合可能なブラケット固定ボルト（３）と、を備えたことを特徴とする。
・  上記態様において、前記リールブラケット（２）の前記リール載置面（２Ａ２）が、リール（５０）の枠（５１）の外周面に沿う形状を有することが、好適である。
・  上記態様において、前記リールブラケット（２）の前記取付プレート（２Ａ）が、リール（５０）との固定に用いられる複数のボルト通し孔（２Ｄ）を有することが、好適である。
・  上記態様において、前記リールシート部（１）の前記嵌合凹部（１Ｂ）が、平面視にて長円形又は多角形であることが、好適である。
・  上記態様において、前記リールシート部（１）の前記嵌合凹部（１Ｂ）の開口の周囲に、前記リールブラケット（２）の前記取付プレート（２Ａ）を載置するための平坦なブラケット載置面（１Ａ１）が形成されていることが、好適である。
・  上記態様において、前記リールシート部（１）の幅（Ｗ）が、前記リールシート部（１）の前後における前記バット（１０）の円柱部分の直径（Ｄ）より大きいことが、好適である。
・  本発明の別の態様は、上記いずれかの態様のリール取付構造を有する釣竿である。
【発明の効果】
【００１０】
本発明によれば、リールを釣竿に極めて強固に取り付けることができるリール取付構造及びこれを備えた釣竿が実現される。また、本発明のリール取付構造により、リールを釣竿に極めて容易に取り付けることができる。
【図面の簡単な説明】
【００１１】
【図１】図１は、本発明によるリール取付構造を有する釣竿のバットの一例を示す概略斜視図である。
【図２】図２は、図１に示した釣竿のバットの展開斜視図である。
【図３】図３（ａ）は、図２におけるリール取付構造の近傍部分の概略的な拡大側面図であり、（ｂ）はリールシート部の平面図である。
【図４】図４（ａ）は図１におけるＩ−Ｉ断面の、（ｂ）は図１におけるＩＩ−ＩＩ断面の概略的な拡大断面図である。
【図５】図５（ａ）は、図４（ａ）の展開断面図であり、（ｂ）は（ａ）の断面に対して垂直な方向の展開断面図である。
【図６】図６は、リールブラケットの概略的な（ａ）正面図、（ｂ）側面図、（ｃ）平面図、（ｄ）底面図である。
【図７】図７は、本発明のリール取付構造におけるリールを取り付ける手順を説明する図である。
【図８】図８は、本発明のリール取付構造におけるリールの取付けが完了した状態を示す図である。
【図９】図９（ａ）（ｂ）はそれぞれ、釣竿にリールを取り付けるリール取付構造の従来例を示す図である。
【発明を実施するための形態】
【００１２】
以下、本発明の実施例を示した図面を参照して本発明の実施形態を説明する。
本発明のリール取付構造は、釣竿にリールを取り付けるための構造であり、特に、竿本体とバットとを有する釣竿におけるバットにリールを取り付けるための構造である。
【００１３】
図１は、本発明のリール取付構造の一例を設けられた釣竿のバットを示す概略斜視図である。図２は、図１に示した釣竿のバットにおけるリール取付構造を展開した展開斜視図である。なお、実際に使用する際は、リール取付構造にリールが取り付けられるが、図１〜図６では、本発明のリール取付構造を明確に説明するために、リールを取り付けない状態で示している。
【００１４】
図１に示すように、釣竿のバット１０は、先端側から順に、前方グリップ部４、本発明のリール取付構造が設けられるリールシート部１、後方グリップ部５、ロッドエンド部６の各部を有している。バット１０の長手方向の軸を符号Ｃ０で示す。本明細書では、説明の便宜上、軸Ｃ０の方向をリール取付構造の前後方向（釣竿の先端側を前方、後尾側を後方）とする。また、図２の展開図に示した軸Ｃ１は、軸Ｃ０に対して垂直であり、説明の便宜上、軸Ｃ１の方向をリール取付構造の上下方向とする。
【００１５】
前方グリップ部４及び後方グリップ部５は、ユーザが釣竿を支持するために把持する部分である。釣竿の竿本体（図示せず）は、前方グリップ部４の前端に開口する円筒空間４Ｂに接着剤を装填した後、竿本体の端部を挿入して蝋付け等を行うことにより、バット１０と一体化される。後方グリップ部５も略円筒状の形状を有する。ロッドエンド部６は、釣竿の最後尾であり、例えばユーザのベルトの金具に係止するためのギンバルを有する。図１に示したバット１０の形状は一例であり、前方グリップ部４、後方グリップ部５及びロッドエンド部６の構成については、図示の例に限られない。
【００１６】
本発明のリール取付構造を適用されたリールシート部１は、バット１０の軸方向の一部であり、所定の長さの領域を占める。バット１０の材料は、例えばアルミニウム、チタン、カーボン等であり、リールシート部１は、一般的な切削加工により所定の形状に加工されている。
【００１７】
図２に示すように、リール取付構造は、バット１０の一部であるリールシート部１と、２つの部品とを組み合わせて構成される。２つの部品は、リールを固定するためのリールブラケット２と、リールブラケット２をリールシート部１に固定するためのブラケット固定ボルト３である。
【００１８】
次に、図３〜図６を参照して,本発明のリール取付構造を詳細に説明する。図３（ａ）は、図２におけるリール取付構造の近傍部分の概略的な拡大側面図であり、（ｂ）はリールシート部の平面図である。図４（ａ）は図１におけるＩ−Ｉ断面の、（ｂ）は図１におけるＩＩ−ＩＩ断面の概略的な拡大断面図である。図５（ａ）は、図４（ａ）の展開断面図であり、（ｂ）は（ａ）の断面に対して垂直な方向の展開断面図である。図６は、リールブラケットの概略的な（ａ）正面図、（ｂ）側面図、（ｃ）平面図、（ｄ）底面図である（但し、平面図と底面図は一般的な表示方向から９０°回転させている）。
【００１９】
図３（ａ）に示すように、本発明によるリール取付構造は、バット１０の一部であるリールシート部１と、リールシート部１に上方から取り付けられるリールブラケット２と、リールブラケット２をリールシート部１に固定するためにリールシート部１の下方から適用されるブラケット固定ボルト３とを有する。
【００２０】
＜リールシート部１＞
図３に示すリールシート部１は、バット１０を所定の形状に加工したリールシート本体１Ａを有する。図４（ａ）及び図５（ａ）に示すように、軸Ｃ０に垂直な断面におけるリールシート本体１Ａの外郭形状は、図示の例では略矩形である。リールシート本体１Ａは、軸Ｃ０の方向に所定の長さを有する。
【００２１】
図４（ａ）と図４（ｂ）に示すように、リールシート本体１Ａにおける軸Ｃ０に垂直な断面における幅Ｗは、リールシート本体１Ａの前後に位置する前方グリップ部４及び後方グリップ部５の円柱部分の直径Ｄよりも大きくすることが好ましい。これは、図５の展開断面図に示すように、リールシート本体１Ａには嵌合凹部１Ｂが穿設されるので、嵌合凹部１Ｂを囲む側壁の強度を確保するためである。
【００２２】
図５に示すように、リールシート本体１Ａには、周面（ここでは上面）に開口し所定の深さＬを有する嵌合凹部１Ｂが形成されている。嵌合凹部１Ｂの深さ方向は軸Ｃ１の方向であり、開口面に対して垂直であり、軸Ｃ０に対しても垂直である。
【００２３】
図３（ｂ）の平面図に示すように、嵌合凹部１Ｂは平面視にて軸Ｃ０の方向に長い長円形の外郭形状を有する。別の例として、平面視の外郭形状は多角形でもよい。嵌合凹部１Ｂには、後述するリールブラケット２の嵌合凸部２Ｂが嵌合するので、嵌合状態において嵌合凸部２Ｂが嵌合凹部１Ｂ内で軸Ｃ１周りの回転を阻止される形状が好ましい。
【００２４】
図５（ｂ）において、嵌合凹部１Ｂと、前方グリップ部４の円筒体４Ａの円筒空間４Ｂとを繋ぐ連通孔４Ｃは、バット１０に竿本体を取り付ける際に、竿本体の端部を円滑に円筒空間４Ｃに挿入するための空気抜き用の孔である。
【００２５】
図４（ａ）及び図５に示すように、嵌合凹部１Ｂの底面と、開口とは反対側の周面（ここでは下面）との間の壁の厚さは、十分な強度を確保できる程度に残されている。この嵌合凹部１Ｂの底面の中央にボルト通し孔１Ｃが穿設されている。ボルト通し孔１Ｃは、嵌合凹部１Ｂの底面から反対側の周面まで貫通する貫通孔である。その直径は、ブラケット固定ボルト３の螺子部３Ａが適宜の遊びをもって貫通できる大きさとする。
【００２６】
図３（ｂ）、図４及び図５に示すように、好適には、嵌合凹部１Ｂの開口の周囲に平坦なブラケット載置面１Ａ１が形成されている。図４（ａ）に示す嵌合状態において、ブラケット載置面１Ａ１の上にリールブラケット２の取付プレート２Ａの平坦な下面が載置されることにより、リールブラケット２の安定な配置が確保される。
【００２７】
＜リールブラケット２＞
図６を参照すると、リールブラケット２は、略板状の取付プレート２Ａと、取付プレート２Ａから突出する嵌合凸部２Ｂとを有する。
【００２８】
取付プレート２Ａは、リールを固定するためのリール載置面２Ａ２を上面に形成されている。リール載置面２Ａ２は、好適には、固定されるリールの枠の外周面に沿う形状を有する。図６（ｂ）の側面図に示すように、例えばリールの枠の外周面が円筒状である場合、リール載置面２Ａ２は、それと同じ曲率半径をもつ曲面とする。リール載置面２Ａ２の形状は、固定されるリールに対応するように適宜加工される。
【００２９】
リールブラケット２は、本発明のリール取付構造において着脱可能な部品である。従って、リール載置面２Ａ２の形状が異なる複数のリールブラケット２を、互いに交換して用いることができる。これにより、１本の釣竿に対し、多種類のリールの中から必要に応じて選択して取り付けることができる。
【００３０】
取付プレート２Ａには、リールとの固定に用いられる複数のボルト通し孔２Ｄが形成されている。図示の例では、６個のボルト通し孔２Ｄが形成されているが、ボルト通し孔２Ｄの大きさ、数及び配置は、リールに対応して適宜設計される。
【００３１】
リールブラケット２はさらに、取付プレート２Ａにおいてリール載置面２Ａ２の反対側の面２Ａ１から突出する嵌合凸部２Ｂを有する。嵌合凸部２Ｂは、上述したリールシート部１の嵌合凹部１Ｂに嵌合可能な形状を有する。すなわち、図６（ｄ）の底面図に示す嵌合凸部２Ｂの長円形の外郭形状は、図３（ｂ）の平面図に示す嵌合凹部１Ｂの長円形の外郭形状に一致している。嵌合凸部２Ｂは、嵌合凹部１Ｂ内に適宜の遊びをもって挿入し、嵌合させることができる。
【００３２】
上述したように、嵌合凸部２Ｂと嵌合凹部１Ｂの嵌合状態において、ブラケット載置面１Ａ１の上にリールブラケット２の取付プレート２Ａの平坦な下面が載置される。
【００３３】
リールブラケット２はさらに、図５に示すように、嵌合凸部２Ｂの端面に開口するボルト螺子穴２Ｃを有する。ボルト螺子穴２Ｃは、嵌合凸部２Ｂの内部において軸Ｃ１の方向に延在し、雌ネジを形成されている。図示の例では、ボルト螺子穴２Ｃがリール載置面２Ａ２まで貫通しているが、貫通する必要は無く、必要な長さの螺子穴であればよい。
【００３４】
リールブラケット２のボルト螺子穴２Ｃは、嵌合凸部２Ｂと嵌合凹部１Ｂの嵌合状態において、リールシート部１のボルト通し孔１Ｃと同軸上に配置される。
【００３５】
＜ブラケット固定ボルト３＞
図４（ａ）に示すように、リールシート部１の嵌合凹部１Ｂに対しリールブラケット２の嵌合凸部２Ｂが嵌合した状態において、ブラケット固定ボルト３を、リールシート部１のボルト通し孔１Ｃを通してリールブラケット２のボルト螺子穴２Ｃに螺合可能である。ブラケット固定ボルト３をボルト螺子穴２Ｃに締結することにより、リールブラケット２が、リールシート部１に強固に固定される。
【００３６】
図３（ａ）及び図５（ａ）に示すように、ブラケット固定ボルト３は、雄ネジを設けた螺子部３Ａと、外周にローレット加工を施した頭部３Ｂとを有する。ユーザは、頭部３Ｂをもって手動でブラケット固定ボルト３を締め付けたり緩めたりすることができる。
【００３７】
図示の例では、ブラケット固定ボルト３が、螺子部３Ａの反対側において頭部３Ｂに凹部を形成されている。その凹部の中央から円柱状のアクセサリ取付部３Ｃが突出し、アクセサリ取付部３Ｃの端面に雌ネジ付きの螺子穴３Ｄが形成されている。ブラケット固定ボルト３は、リール取付構造において着脱可能な部品であるので、取り外した際に紛失し易い。螺子穴３Ｄを利用して紛失防止用のチェーンやコード等の一端を連結し、他端を例えばリールの枠等に連結することにより、ブラケット固定ボルト３の紛失を防止できる。
【００３８】
図７及び図８を参照して、本発明のリール取付構造におけるリールを取り付ける手順を説明する。
【００３９】
図７は、リール５０を釣竿すなわちバットに取り付ける最初の手順を示しており、（ａ）は正面図、（ｂ）は側面図である。リール５０の枠５１の一部と、リール取付構造におけるリールブラケット２を断面で示している。
【００４０】
本発明の適用対象である手動のリール５０は、略円筒形の枠５１と、回転軸中心から径方向に延びるハンドル５２とを有する。先ず、リール５０にリールブラケット２を取り付ける。リール５０の枠５１には、複数の雌ネジ付きの螺子穴が形成されている。それらの螺子穴の位置は、リールブラケット２の複数のボルト通し孔２Ｄの位置と対応する。リール５０の枠５１の外周面とリールブラケット２のリール載置面２Ａ２とを互いに当接させ、リール固定ボルト２Ｅを、ボルト通し孔２Ｄに通して枠５１の螺子穴に締結する。
【００４１】
次に、図８に示すように、リール５０を固定したリールブラケット２の嵌合凸部２Ｂを、バット１０のリールシート部１の嵌合凹部１Ｂに挿入した後、ブラケット固定ボルト３をリールシート部１の反対側の周面からボルト通し孔１Ｃに挿入し、リールブラケット２のボルト螺子穴２Ｃに締結する。これにより、リール５０のバット１０への取付けが完了する。
【００４２】
このように、リールブラケット２のリールシート部１への取付けは、ブラケット固定ボルト３を手で回すのみであるので、極めて容易である。取外しについても同様である。
【００４３】
例えば、１本の釣竿に対して多数のリールを交換して用いる場合、各リールに対応する形状のリール載置面２Ａ２をそれぞれ有する複数のリールブラケット２を作製し、各リールに適合するリールブラケット２を予め取り付けておくことにより、リールの交換を速やかに行うことができる。その場合、各リールブラケット２の嵌合凸部２Ｂは同じ形状となる。
【００４４】
反対に、例えば、１つのリールに対して多数の釣竿を交換して用いる場合、各釣竿のバットに適切な嵌合凹部１Ｂをそれぞれ形成すると共に、各嵌合凹部１Ｂに嵌合する形状の嵌合凸部２Ｂをそれぞれ有する複数のリールブラケット２を作製することにより、１つのリールを異なる釣竿に容易に取り付けることができる。その場合、各リールブラケット２のリール載置面２Ａ２は同じ形状となる。
【００４５】
＜試験結果＞
本発明のリール取付構造において、バット１０のリールシート部１にリールブラケット２とボルト３を取付け締結した状態において、リールブラケット２とボルト３を互いに引き離す力を負荷する試験を行ったところ、７００ｋｇまでの荷重に耐えることが判明した。この結果が示す通り、本発明のリール取付構造は、リールを釣竿に極めて強固に取り付けることができるので、強い負荷が掛かってもリールの位置がずれたり、がたついたりすることがない。
【００４６】
本発明はさらに、上述したリール取付構造を備えた釣竿も提供する。
【００４７】
以上に述べた本発明のリール取付構造の具体的構成は一例であり、本発明の主旨に含まれる範囲において多様な変形例が考えられる。本発明のリール取付構造における各部位及び各部品の寸法については、多様な釣竿及びリールにおいて必要な固定強度を確保するために適宜設計されるものであり、特定の範囲に限定されない。
【符号の説明】
【００４８】
１  リールシート部
１Ａ  リールシート本体
１Ａ１  ブラケット載置面
１Ｂ  嵌合凹部
１Ｃ  ボルト通し孔
２  リールブラケット
２Ａ  取付プレート
２Ａ１  当接面
２Ａ２  リール載置面
２Ｂ  嵌合凸部
２Ｃ  ボルト螺子穴
２Ｄ  ボルト通し孔
２Ｅ  リール固定ボルト
３  ブラケット固定ボルト
３Ａ  螺子部
３Ｂ  頭部
３Ｃ  アクセサリ取付部
３Ｄ  螺子穴
４  前方グリップ部
４Ａ  円筒体
４Ｂ  円筒空間
４Ｃ  連通孔
５  後方グリップ部
６  ロッドエンド部
１０  バット
５０  リール
５１  枠
５２  ハンドル
【図１】
2019154269.tif 000003
【図２】
2019154269.tif 000004
【図３】
2019154269.tif 000005
【図４】
2019154269.tif 000006
【図５】
2019154269.tif 000007
【図６】
2019154269.tif 000008
【図７】
2019154269.tif 000009
【図８】
2019154269.tif 000010
【図９】
2019154269.tif 000011